(57)【要約】【課題】効率的に被搬送体の停止・駆動および方向転換を可能とし、搬送行為の柔軟性および作業効率性を高めた基板搬送方法を得る。【解決手段】ガイド部１を被搬送対象の基板２０の角部へ当接して該基板２０の動作を規制し、ガイド部１を水平方向へ移動させ、ガイド部１の水平方向角度を回転駆動する。これらの行程により、基板２０の一時停止と、任意の水平方向への送り出しを可能とする。本実行において、基板２０は下方からの気体の噴出により空中へ浮上状態とされ、基板搬送時の位置を検出するセンサー７を設け、このセンサー７の検出信号を基にガイド部１の動作のタイミングを取る。基板２０の動作を規制する働きを行うのは、４個のガイド部１ａ、１ｂ、１ｃ、１ｄの他に、側辺部のガイドローラー２も同様の働きをする。【選択図】        図１
2004315146.tif 000002
【特許請求の範囲】
【請求項１】
被搬送体である基板の動作を規制するガイド部を前記基板の角部へ当接して、該基板の動作を規制する基板動作規制行程と、
前記ガイド部を水平方向へ移動させるガイド位置移動行程と、
前記ガイド部の水平方向角度を回転駆動するガイド回転駆動行程とを有し、
前記基板の一時停止と、任意の水平方向への送り出しを可能としたことを特徴とする基板搬送方法。
【請求項２】
前記基板の位置を検出するセンサーを設け、該センサーの検出信号を基に前記ガイド部の動作のタイミングを取り、前記基板の一時停止と、任意の水平方向への送り出しを行うことを特徴とする請求項１に記載の基板搬送方法。
【請求項３】
前記ガイド部は略９０度の角度を有する突起により凹部を構成し、該凹部を前記被搬送対象の基板角部へ当接し、前記基板の四隅方向に設けられた４個のガイド部により該基板の四隅に対して前記当接が行われることを特徴とする請求項１または２に記載の基板搬送方法。
【請求項４】
前記ガイド回転駆動行程における前記ガイド部の水平方向角度の回転駆動は、前記送り出しを行う方向と反対方向の前記基板の、二つの角部へ当接したガイド部の回転駆動であることを特徴とする請求項１から３の何れかに記載の基板搬送方法。
【請求項５】
前記ガイド回転駆動行程の実行前に、前記送り出しを行う方向の前面側のガイド部を前記基板の角部から外し且つ進路を空け、前記送り出しを実行することを特徴とする請求項４に記載の基板搬送方法。
【請求項６】
前記基板は下方からの気体の噴出により空中へ浮上状態とされ、該浮上状態の該基板の移動に対して該移動方向へ対向する前記前面側２個のガイド部を後方へ移動させ、後側２個のガイド部を前記回転駆動することにより前記基板へ反力を与え、前記基板の前記移動方向への移動を可能としたことを特徴とする請求項５に記載の基板搬送方法。
【発明の詳細な説明】
【０００１】
【発明の属する技術分野】
本発明は、基板搬送方法に関し、たとえば、液晶表示器用のガラス基板等の各種処理行程における基板搬送装置へ適用される基板搬送方法に関する。なお、本発明は、同時期・同一出願人による他の発明の「基板搬送ガイドおよび同ユニット並びに基板搬送装置」と技術的に関連する発明である。先に出願済の他の発明が機械的な構成に係わる発明であるのに対し、本願発明は前記他の発明の装置を制御する方法の発明である。
【０００２】
【従来の技術】
従来、基板搬送方法は、一般的に基板製造過程における加工処理等の製造ラインへ適用される搬送装置を用いた基板搬送方法に関わるものである。
【０００３】
本発明と技術分野の類似する先願発明例として、下記の特許文献１および特許文献２がある。
【０００４】
【特許文献１】
特開２００２−１５１５７１号公報
「基板搬送システム及びそれを用いた基板搬送方法」
【０００５】
【特許文献２】
特開平１０−００６１６６号公報
「搬送装置」
【０００６】
本発明と技術分野の類似する先願発明例１としての上記特開２００２−１５１５７１号公報では、基板の大型化が進んでも基板を損傷することなく搬送することができる、基板搬送システム及びそれを用いた基板搬送方法を提供することを課題としている。本課題の解決手段として、基板浮上プレートにより基板に下面からのエアを吹き付けることにより浮上させ、基板端部を該基板の搬送経路に沿って設けられた搬送用ローラーで挟み込んで搬送する、としている。
【０００７】
先願発明例２としての特開平１０−００６１６６号公報の「搬送装置」は、方向性を有するワークの方向を変換すると共に、搬送時間の短縮を図ることのできる搬送装置を提供することを課題としている。本課題の解決手順として、搬送装置には、機枠に対して回転・上下・水平方向に移動し、ガラス基板を保持し搬送する機構を構成している。この搬送のために搬送アームと、機枠に対して回転可能なワーク支持台とが配設されている。搬送アームとワーク支持台は、それぞれが独立して回転駆動される。また、ワーク支持台にはガイド部材を複数個備えてセンタリング装置が配設され、ガラス基板がセンタリング装置に配置されると自動的に芯出しがなされる。そして、第１カセットからガラス基板を取り出し、センタリング装置に一時的に収納した後に、搬送装置は第１の位置から第２の位置に移動される。その移動の際、搬送アームと、ワーク支持台とが別々に回転され、ガラス基板の方向を変換する。そして、次行程装置にガラス基板を収納する、としている。
【０００８】
【発明が解決しようとする課題】
しかしながら、被搬送対象の基板、例えばガラス基板等は、ワークサイズが大型化され且つ薄型化の傾向にある。特に昨今、従来の機械的な搬送方法では、搬送の効率性や被搬送基板へ損傷を与え易い等の新たな問題点が顕在化している。
【０００９】
上記の先願発明例１では、浮上方式は取り入れているものの、基板搬送部の構成が従来のベルトコンベア方式の延長上にある。よって、本願発明の十字路上で方向転換させるものとは、基板搬送手順の基本的手順が相違している。
【００１０】
先願発明例２は、上記従来技術で掲げた搬送の効率性や被搬送基板へ損傷を与え易い等の問題点が回避されていない。また、構成が複雑であること、さらに、本願発明の様に浮上状態で機能を発揮させることが困難である等の問題点を有する。
【００１１】
本発明は、効率的に被搬送体の停止・駆動および方向転換を可能とし、搬送行為の柔軟性および作業効率性を高めた基板搬送方法を提供することを目的とする。
【００１２】
【課題を解決するための手段】
かかる目的を達成するため、本発明の基板搬送方法は、被搬送体の基板のガイド部を基板の角部へ当接して該基板の動作を規制する基板動作規制行程と、ガイド部を水平方向へ移動させるガイド位置移動行程と、ガイド部の水平方向角度を回転駆動するガイド回転駆動行程とを有し、基板の一時停止と、任意の水平方向への送り出しを可能としたことを特徴としている。
【００１３】
請求項２記載の発明の基板搬送方法では、請求項１に記載の基板搬送方法において基板の位置を検出するセンサーを設け、このセンサーの検出信号を基にガイド部の動作のタイミングを取り、基板の一時停止と任意の水平方向への送り出しを行うこととする。
【００１４】
請求項３記載の発明の基板搬送方法では、請求項１または２に記載の基板搬送方法であり、上記のガイド部は略９０度の角度を有する突起により凹部を構成し、この凹部を被搬送対象の基板角部へ当接し、基板の四隅方向に設けられた４個のガイド部により該基板の四隅に対して当接が行われることとしている。
【００１５】
請求項４または５記載の発明の基板搬送方法では、ガイド回転駆動行程におけるガイド部の水平方向角度の回転駆動は、送り出しを行う方向と反対方向の基板の、二つの角部へ当接したガイド部の回転駆動であるとし、このガイド回転駆動行程の実行前に、送り出しを行う方向の前面側のガイド部を基板の角部から外し且つ進路を空け、送り出しを実行することとしている。
【００１６】
請求項６記載の発明の基板搬送方法では、基板は下方からの気体の噴出により空中へ浮上状態とされ、この浮上状態の基板の移動に対して移動方向へ対向する前側２個のガイド部を後方へ移動させ、後側２個のガイド部を回転駆動することにより基板へ反力を与え、基板の移動方向への移動を可能としている。
【００１７】
【発明の実施の形態】
次に、添付図面を参照して本発明による基板搬送方法の実施の形態を詳細に説明する。図１から図１３を参照すると、本発明の基板搬送方法の一実施形態が示されている。
【００１８】
これらの図において、図１は本発明による基板搬送方法の実施の形態へ適用される基板搬送ガイドユニット５０の平面図を示している。また、図２は基板搬送ガイドユニット５０の構成部分である基板搬送ガイドの全体を示し、図３はガイド部の構造例を示し、図４は基板搬送ガイドを駆動する基板搬送ガイドユニットの内部の構成例を示している。さらに、図５および図６は、ガイドローラー２と該ガイドローラー２の上側の稼動状態または下側の休止状態への位置移動を駆動する駆動装置の側面構成例を示している。
【００１９】
図７、図８及び図９は、基板搬送ガイドユニット５０の動作例を説明するための図であり、図７（ａ）〜図７（ｃ）が基板を左方向から右方向へ進める場合の手順例を説明するための図である。また、図８（ａ）〜図８（ｃ）が基板を左方向から下方向へ進める場合（９０度方向転換）の手順例を説明するための図である。図９（ａ）〜図９（ｄ）は、基板を進めるにおいて、基板搬送ガイドが取る動作手順例を説明するために用いる図である。さらに、図１０は、動作例のタイミング図である。図１１は、動作手順例を示したフローチャートである。
【００２０】
本発明の基板搬送方法が発揮可能な機能例としては、１）基板のストッパー機能、２）基板に推力を与える機能、３）基板の方向転換を行う機能、４）基板のガイドを行う機能、等がある。これらの機能を用いた具体例として、１１）基板の９０度の移動方向転換、１２）基板の位置のスライドが可能となる。また、基板へ推力を与え、基板の方向転換を行い、基板を保持してのストッパー、基板を退避させて相対する他の基板から一時的に避ける、等が可能となる。これらの機能を発揮可能な基板搬送方法の実施形態を、以下に詳述する。
【００２１】
図１は、４個のガイド部１ａ、１ｂ、１ｃ、１ｄを、基板搬送ガイドユニットへ適用した場合の構成例を示す上側から見た平面図である。本図１において、４個のガイド部１ａ、１ｂ、１ｃ、１ｄは、基板搬送ガイドユニットの四隅へ設けられ、被搬送体としてガラス基板２０を想定して表している。４個のガイド部１ａ、１ｂ、１ｃ、１ｄの各々は、被搬送体としてのガラス基板２０の四隅を、夫々相互に隣接して構成された２個のローラー間の凹部で保持する。
【００２２】
被搬送体２０の動作を規制する働きを行うのは、上記４個のガイド部１ａ、１ｂ、１ｃ、１ｄの他に、側辺部のガイドローラー２も同様の働きをする。このガイドローラー２は、図１において、被搬送体２０の４辺の中間部に各２個設けられ、合計８個で１枚の基板の動作範囲を規制している。
【００２３】
上記４個のガイド部１ａ、１ｂ、１ｃ、１ｄで形成される四辺形のエリア内に、被搬送対象となる基板２０が収容される。本収容動作において、基板の存否および搬入・搬出のタイミングを取るための基板検出用のセンサー７が基板の下方位置に設けられている。この基板検出用のセンサー７は、光学式のセンサーであり、被検出対象の基板へ光を照射し、この照射した光の反射光の有無を検出して被検出対象の基板２０の存在有無を検出する。
【００２４】
上記の検出器として、例えば、検出範囲となる反射距離範囲を限定した距離限定型の反射光検出センサーを用いる。また、基板２０の移動速度に対応して関連部と動作のタイミングを取るために、移動方向に対して時間的余裕を持ち得る前方位置へ設置している。本実施例では、既述の様に反射光型の基板検出用のセンサー７を用いて、ガイド部の操作のタイミングを取っている。例えば、図１において、把握固定時の一の基板側面に対しての基板検出用のセンサー７の設置位置距離Ｌは、機械的に調整可能であり、関連する構成部、例えば基板把握固定時に、ガイド部１ａ、１ｂを駆動する動作のタイミングを取るために用いられる。
【００２５】
上記構成の基板搬送ガイドユニットにおける基板搬送の手順へは、図２、図３、図４に示すガイド部１と、図５、図６に示すガイドピン２とが適用される。
【００２６】
図１は、基板１枚に対応する基板搬送用の１ユニットとして構成されたユニット図を示している。図２は、基板搬送ガイドユニット５０へ適用され被搬送体を直接操作する、基板搬送ガイドの構成例を示す平面図である。また、図３は、基板搬送ガイドおよび基板搬送ガイドユニット５０が取り扱う被搬送体と当接する部位となる、ガイド部１の構造例を示す平面図である。図２がガイド部１の動作を概念的に示し、図３が一の構成部であるガイドの、より詳細な構成例を示している。また、本ユニットには不図示であるが、盤面に多数のエアー噴出口が設けられ、このエアー噴出口からのエアー噴出により、被搬送対象の基板を空中へ浮上が可能とされている。なお、図７および図８中の黒点は、エアー噴出口を表している。
【００２７】
図２および図３に詳細構成例を示したガイド部１は、細分化され、十字状またはヒトデ状の金具１１、３個のローラー１２、ダンパー１３、ガイド板１４を有して構成される。ダンパー１３は、被搬送体へ与える衝撃力を吸収する部位であり、さらに、ブッシュ１３１、スリーブ１３２、バネ１３３を有して構成される。尚、本ダンパー１３は、衝突吸収のモーメントにおいて、ヒトデ状の一の金具がダンパー用のブッシュ１３１へ当接し、バネ１３３の反力で衝撃力を吸収する。
【００２８】
十字状またはヒトデ状の金具１１は、該ヒトデ状の金具１１の３個の先端部に樹脂製のローラー１２ａ、１２ｂ、１２ｃが、夫々回転自在の状態で取り付けられている。また、ヒトデ状の金具１１の中心軸下方には、円柱状のブッシュ１５が取り付けられている。このブッシュ１５は、ガイド用のガイド板１４に構成された長孔を可動範囲として前後移動が可能とされる。図２中において、長孔をガイドにした前後移動範囲を符号Ｈとして示している。なお、本実施例では、可動範囲としてガイド板１４に長孔を設けた構成としたが、後述する基板搬送ガイドユニット５０のプレート５の面へ直接長孔を設け、該長孔を可動範囲としてもよい。
【００２９】
図４、および図５と図６は、基板搬送ガイドユニットの内部の構成例を説明するための側面図であり、装置内部の構成状態を概念的に示している。図４は、基板搬送ガイドの構成例を示す機構説明図であり、図５は、ガイドローラー２の動作を説明するための機構説明図である。
【００３０】
図４において、ガイド部１の駆動部としてロータリーアクチュエーター３とスライド用シリンダー４とが設けられている。さらに、ヒトデ状の金具１１の中心部には上記のブッシュ１５を介してガイド部１を回転させるロータリーアクチュエーター３の回転軸１４１と連結される。なお、この回転軸１４１は、ロータリーアクチュエーター３の持つ回転軸である。これにより、ロータリーアクチュエーター３は、ガイド部１を首振り状に回転駆動する回転駆動部とされる。さらに、ロータリーアクチュエーター３は、スライド用シリンダー４と連結されている。本構成により、スライド用シリンダー４は、ロータリーアクチュエーター３を移動させ、ガイド板１４に構成された長孔に沿ってガイド部１を前後移動させる。この前後移動は、図２にも示した移動範囲Ｈ内のスライド移動を可動範囲とする。
【００３１】
図５および図６は、ガイドローラー２と該ガイドローラー２の上側または下側への位置移動を駆動する駆動装置の側面図である。図５はガイドローラー２が可動状態の上側位置に在る状態を示し、図６は休止状態の下側位置に在る状態を示している。これらの図において、ガイドローラー２、ローラーリフト２２、ガイド昇降確認センサー２３の相互の配置状態を示している。なお、これらは、基板搬送ガイドユニット５０のプレート５へ取り付けられたガイドローラー２の、左側面図（図５）と右側面図（図６）である。
【００３２】
図５はガイドローラー２が上側位置に在る状態を表し、図６はガイドローラー２が下側位置に在る状態を表している。これらの図５および図６において、ローラーリフト２２の軸の上下移動により、ガイドローラー２の上下位置の状態が変化可能とされる。本構成のガイドローラー２は、図１で示した状態で、基板搬送ガイドユニット５０の上下左右の４辺部へ各２個の合計８個が装備される。
【００３３】
図７（ａ）、図７（ｂ）、図７（ｃ）は、左方向から入力する被搬送対象のガラス基板を右方向へ前進させる場合の、基板搬送ガイドユニット５０の動作手順例を示した平面図である。また、図８（ａ）、図８（ｂ）、図８（ｃ）は、左方向から入力する被搬送対象のガラス基板を下方向へ９０度方向転換させる場合の、基板搬送ガイドユニット５０の動作手順例を示した平面図である。
【００３４】
図７〜図８には、基板搬送ガイドユニット５０へのガラス基板２０の搬入手順例を説明するための概念図であり、図７（ｂ）、図８（ｂ）は基板搬送ガイドユニット５０が取り込んだガラス基板２０の保持状態を示し、図７（ｃ）、図８（ｃ）は基板搬送ガイドユニット５０が取り込んだガラス基板２０の搬出中の状態を、夫々示している。なお、これらの図中における、直線矢印はガイド部１の移動方向を、円弧状矢印はガイド部１の回転方向を、夫々表している。
【００３５】
上記の状態をさらに詳述すると、図８において、ガラス基板２０の取り込みを実行するに際して、基板搬送ガイドユニット５０の４個のガイド部１ａ、１ｂ、１ｃ、１ｄの内、ガラス基板搬入方向の２個のガイド部１ａ、１ｂを、基板の搬入に障害とならない様に、プレート５の外側へ位置移動させる。さらに、基板搬送ガイドユニット５０のガラス基板２０に対応する４辺に装備されたガイドローラー２の内の、搬入方向の一辺に在る２個のガイドローラー２ａ、２ｂを、同様の趣旨で基盤搬送装置のプレート５以下へ降下させる。
【００３６】
図７および図８に示す搬送実施例において、基板搬送ガイドユニット５０の４個のガイド部１ａ、１ｂ、１ｃ、１ｄの動作と、８個のガイドローラー２ａ、２ｂ、２ｃ、２ｄ、２ｅ、２ｆ、２ｇ、２ｈの上下動作とが、直接的にガラス基板の可動範囲を制御する。
【００３７】
図７および図８において、ガラス基板２０内に示した矢印は、基板の進行方向を示している。ガイド部１ａ、１ｂ、１ｃ、１ｄに添って示した直線の矢印は、夫々のガイド用のガイド板１４に構成された長孔範囲Ｈ内での移動方向を示している。また、ガイド部１ａ、１ｂ、１ｃ、１ｄに添って示した曲線の矢印は、ロータリーアクチュエーター３によるガイド部の首振り状の回転駆動方向を表している。
【００３８】
図９（ａ）、図９（ｂ）、図９（ｃ）、図９（ｄ）は、基板搬送動作に伴うガイド部１の、動作パターンを例示した図であり、基板搬送ガイドユニット５０に装備された４個のガイド部１は、本ユニット５０の各々のコーナーを基準として、これら４種類のパターンに分類分けされる。
【００３９】
図９（ａ）および図９（ｂ）において、ガイド用のガイド板１４に構成された長孔を可動範囲Ｈとするコーナー側に位置し、ヒトデ状金具１１の３個の先端部中央のローラー１２ｂが、縦側側面と平行に在る場合／図９（ａ）と、横側側面と平行に在る場合／図９（ｂ）である。同様に図９（ｃ）および図９（ｄ）において、ガイド用のガイド板１４に構成された長孔を可動範囲Ｈとする中央側の端部に位置し、ヒトデ状の金具１１の３個の先端部中央のローラー１２ｂが、縦側側面と平行に在る場合／図９（ｃ）と、横側側面と平行に在る場合／図９（ｄ）である。
【００４０】
図７に示した左方向から入力する被搬送対象のガラス基板２０を右方向へ前進させる場合の動作例を基に、各部の動作タイミングと処理手順例を以下に説明する。図１０は、（１）基板進入側のガイド部の開／閉動作と、（２）基板進入動作のＯＮ／ＯＦＦと、（３）センサー７のＯＮ／ＯＦＦ動作との間の、相互の関連性を示すタイミング図である。また、図１１は、基板搬入動作の手順例を示すフローチャートである。また、図１２は、（１１）基板搬出側のガイド部の開／閉動作と、（１２）送り出しガイド部の回転駆動と、（１３）基板退出動作のＯＮと、（１４）センサー７のＯＮ／ＯＦＦ動作との間の、相互の関連性を示すタイミング図である。また、図１３は、基板搬出動作の手順例を示すフローチャートである。
【００４１】
（基板搬入動作例）
図７（ａ）、図９、図１０および図１１において、ガイド部１ａ、１ｂを図９（ａ）の状態とし、ガイドローラー２ａ、２ｂを下側位置の収納状態とする（ステップＳ１）。本処理により図１０におけるタイミングがｔ０〜ｔ１へと進行し、（１）ガイド部１ａ、１ｂの間の進入路が開状態となる。
【００４２】
上記（１）ガイド部１ａ、１ｂの開状態達成時ｔ１から予め定めたディレー時間経過後の時間ｔ２において、（２）基板進入動作を開始する（ステップＳ２）。基板２０が上記進入路から基板搬送ガイドユニット５０内へ進入し、所定の位置まで搬入すると、センサー７が基板を検知する（ステップＳ３／タイミングｔ３）。
【００４３】
センサー７が基板を感知後、タイマがカウントを開始し（ステップＳ４）、所定時間Ｔ１の経過後に（ステップＳ５／タイミングｔ４）、ガイド部１ａ、１ｂを閉駆動させる（ステップＳ６／図７（ｂ））。ガイド部１ａ、１ｂが、図９（ｃ）の状態位置まで位置駆動されて（タイミングｔ５）、図９（ｂ）の状態とし、ガイド部１ａ、１ｂ、１ｃ、１ｄの凹部を被搬送対象の基板２０の角部へ当接して、該基板の動作を規制する基板動作規制行程が完了する（ステップＳ７／タイミングｔ５）。
【００４４】
（基板搬出動作例）
図７（ｃ）、図９、図１２および図１３において、ガイド部１ｃ、１ｄを図９（ａ）の状態とし、ガイドローラー２ｅ、２ｆを下側位置の収納状態とする（ステップＳ１１、Ｓ１２）。本処理により図１２におけるタイミングがｔ１０〜ｔ１１へと進行し、（１１）ガイド部１ｃ、１ｄの退出路が開状態となる。
【００４５】
上記（１１）ガイド部１ｃ、１ｄの退出路を開状態に設定が完了後（ステップＳ１２／ｔ１２）、（１２）基板退出駆動側のガイド部１ａ、１ｂをそれぞれ図７（ｃ）に示した方向へ回転駆動する（ステップＳ２）。本送り出し側のガイド部１ａ、１ｂの回転駆動により基板へ推進力が与えられ、（１３）基板退出動作を開始する（ステップＳ１３／ｔ１２）。基板２０が、基板搬送ガイドユニット５０外へ退出完了する前の所定の位置まで移動すると、基板がセンサー７上を通過し、本時点でセンサー７が基板の退出を検知する（ステップＳ１４／タイミングｔ１３）。
【００４６】
センサー７の検知信号がＯＦＦとなり、基板の不存在を感知後、タイマがカウントを開始し（ステップＳ１５）、所定時間Ｔ２の経過後に（ステップＳ１６／タイミングｔ１５）、ガイド部１ｃ、１ｄを閉駆動させる（ステップＳ１７）。
【００４７】
上記の基板搬出動作における、（１４）センサーのＯＦＦ信号の検出（ｔ１３）と、（１３）基板退出動作の完了（ｔ１４）と、（１１）ガイド部の閉動作の開始（ｔ１５）との間のタイミングは、予め、余裕を持った時間設定を行う。これらは、（１３）基板退出動作に要する時間（ｔ１４−ｔ１２）との係わりにおいて設定される。なお、基板退出時の基板の移動速度は、所要時間（ｔ１２〜ｔ１３）と基板の寸法等から概算時間の算出をすることも可能である。
【００４８】
（９０度方向転換させる場合）
図８に示す９０度方向転換させる場合も、上記の手順に準じて実行することが可能である。なお、本９０度方向転換の場合は、退出路がガイド部１ａ、１ｄであり、推進力はガイド部１ｂ、１ｃの回転駆動により与える。直進の場合と同一のセンサー７を用いた場合、タイミング時間Ｔ１，Ｔ２の設定が変わる。
【００４９】
【発明の効果】
以上の説明より明らかなように、本発明の基板搬送方法は、ガイド部を被搬送対象の基板の角部へ当接してこの基板の動作を規制する。その後、前方向のガイド部を水平方向へ移動させて進路を開き、後方向のガイド部の水平方向角度を回転して基板へ駆動力を与える。これにより、基板の一時停止と、任意の水平方向への送り出しを可能とする。
【図面の簡単な説明】
【図１】基板搬送ガイドを基板搬送ユニットへ適用した構成例を示した平面図である。
【図２】本発明の基板搬送方法の実施形態に適用される基板搬送ガイドユニットの構成例を示している。
【図３】ガイド部の構造例を示した平面図である。
【図４】図３に対応する基板搬送ユニットの装置内部の構成例を示した側面図である。
【図５】ガイドローラーと駆動装置の側面図であり上側位置に在る状態を示している。
【図６】ガイドローラーと駆動装置の側面図であり下側位置に在る状態を示している。
【図７】基板搬送ユニットを用いて基板を左方向から右方向へ進める場合の手順例を説明するための図である。
【図８】基板搬送ユニットを用いて基板を左方向から下方向へ進める場合の手順例を説明するための図である。
【図９】（ａ）〜（ｄ）は動作パターン例を示し、基板搬送ガイドが取る動作手順例を説明するために用いる図である。
【図１０】基板搬送ユニットの動作手順例を示す第１のタイミングチャートである。
【図１１】基板搬送ユニットの動作手順例を示す第１のフローチャートである。
【図１２】基板搬送ユニットの動作手順例を示す第２のタイミングチャートである。
【図１３】基板搬送ユニットの動作手順例を示す第２のフローチャートである。
【符号の説明】
１  ガイド部
２  ガイドローラー
３  ロータリーアクチュエーター
４  スライド用シリンダー
５  （基板搬送方法の）プレート
７  基板検出用のセンサー
１１  ヒトデ状の金具
１２  （樹脂製の）ローラー
１３  ダンパー
１４  ガイド板
１５  （ガイド用）ブッシュ
２０  ガラス基板
２２  ローラーリフト
２３  ガイド昇降確認センサー
５０  基板搬送ガイドユニット
１３１  （ダンパー用）ブッシュ
１３２  スリーブ
１３３  バネ
１４１  回転軸
Ｈ  可動範囲（ガイド板１４に構成された長孔）
Ｔ  ディレー時間
【図１】
2004315146.tif 000003
【図２】
2004315146.tif 000004
【図３】
2004315146.tif 000005
【図４】
2004315146.tif 000006
【図５】
2004315146.tif 000007
【図６】
2004315146.tif 000008
【図７】
2004315146.tif 000009
【図８】
2004315146.tif 000010
【図９】
2004315146.tif 000011
【図１０】
2004315146.tif 000012
【図１１】
2004315146.tif 000013
【図１２】
2004315146.tif 000014
【図１３】
2004315146.tif 000015